(57)【要約】【課題】複数枚の原稿のうち、複数箇所に画像データを挿入する場合において、画像データを挿入するための処理時間を短縮する。【解決手段】複数枚の原稿を読み取る複合機のスキャナ部と、スキャナ部で読み取られた複数枚の原稿各々に対応する画像データからなるフィルダ（ファイル）を記憶する記憶部と、通信可能なパソコンであって、フォルダを記憶部から取得する取得手段と、フォルダにおける複数の画像データの挿入位置の指定および該挿入位置に挿入する画像データ数の指定を受け付ける受付手段と、フォルダに挿入する挿入原稿の読み取りをスキャナ部に指示する読取指示手段と、取得されたフォルダに対し、指定を受け付けた挿入位置および該挿入位置に挿入する画像データの数に基づいて、読み取られた挿入原稿の画像データを、読み取られた順に挿入する挿入手段とを備える。【選択図】図４
2011029746.tif 000002
【特許請求の範囲】
【請求項１】
複数枚の原稿を読み取る読取手段と、前記読取手段で読み取られた複数枚の原稿各々に対応する画像データからなる画像データ群を記憶する記憶手段と、通信可能な画像処理装置であって、
前記画像データ群を前記記憶手段から取得する取得手段と、
前記画像データ群における複数の画像データ挿入位置の指定および該画像データ挿入位置に挿入する画像データの数の指定を受け付ける受付手段と、
前記画像データ群に挿入する挿入原稿の読み取りを前記読取手段に指示する読取指示手段と、
前記取得手段により取得された画像データ群に対し、前記受付手段により受け付けた画像データ挿入位置および該画像データ挿入位置に挿入する画像データの数に基づいて、前記読取指示手段による指示により読み取られた挿入原稿の画像データを、前記読取手段で読み取られた順に挿入する挿入手段と、
を備えることを特徴とする画像処理装置。
【請求項２】
前記取得手段は、前記画像データ群として、１つのフォルダに格納された複数の画像データ、または、１つのファイルを構成する複数の画像データを前記記憶手段から取得することを特徴とする請求項１に記載の画像処理装置。
【請求項３】
表示手段と、
前記取得手段により取得された前記画像データ群に含まれる前記画像データ各々を特定する複数の特定画像を、該画像データに係る原稿の前記読取手段による読み取り順に従って表示するとともに、該特定画像の前または後の少なくともいずれか一方に、前記挿入原稿の画像データを挿入可能な位置を示す情報を前記表示手段に表示させる表示制御手段と、
を備えることを特徴とする請求項１または２に記載の画像処理装置。
【請求項４】
前記記憶手段は、前記原稿の読み取りに係る読取条件を記憶しており、
前記読取指示手段は、前記記憶手段に記憶された読取条件で前記挿入原稿を読み取るよう指示することを特徴とする請求項１〜３のいずれかに記載の画像処理装置。
【請求項５】
前記記憶手段は、前記読取条件として、解像度を記憶することを特徴とする請求項４に記載の画像処理装置。
【請求項６】
前記画像データ群を構成する複数の画像データには、各々異なる名称が付与されており、
前記取得手段が、前記画像データ群として、１つのフォルダに格納された複数の画像データを取得した場合、
前記挿入手段により挿入原稿の画像データを前記画像データ群に挿入した後、前記画像データ群を構成する画像データの名称を変更する名称変更手段をさらに備えることを特徴とする請求項２〜５のいずれかに記載の画像処理装置。
【請求項７】
前記読取手段とネットワークを介して通信可能であることを特徴とする請求項１〜６のいずれかに記載の画像処理装置。
【請求項８】
複数枚の原稿を読み取る読取手段と、前記読取手段で読み取られた複数枚の原稿各々に対応する画像データからなる画像データ群を記憶する記憶手段と、通信可能なコンピュータが実行可能な画像処理プログラムであって、
前記コンピュータに、前記画像データ群を前記記憶手段から取得する取得手段と、
前記画像データ群における複数の画像データ挿入位置の指定および該画像データ挿入位置に挿入する画像データの数の指定を受け付ける受付手段と、
前記画像データ群に挿入する挿入原稿の読み取りを前記読取手段に指示する読取指示手段と、
前記取得手段により取得された画像データ群に対し、前記受付手段により受け付けた画像データ挿入位置および該画像データ挿入位置に挿入する画像データの数に基づいて、前記読み取り指示手段による指示により読み取られた挿入原稿の画像データを、前記読取手段で読み取られた順に挿入する挿入手段と、
を実行させることを特徴とする画像処理プログラム。
【発明の詳細な説明】
【技術分野】
【０００１】
本発明は、画像処理装置および画像処理プログラムに関する。
【背景技術】
【０００２】
従来、複数ページ（複数枚）からなる原稿を連続して読み取り、各ページに対応した画像データを読み取った順で作成する画像処理装置が知られている。特に、複数ページの原稿のうち一部のページが重送され、本来存在するページの画像データが欠落した場合、原稿全部、または、欠落した画像データに係るページの原稿および該ページの前後のページの原稿を再度読み取って、欠落したページの原稿データを、欠落が生じた位置に挿入することができる画像処理装置が知られている（例えば、特許文献１参照）。
【先行技術文献】
【特許文献】
【０００３】
【特許文献１】特開２００９−３３４５１号公報
【発明の概要】
【発明が解決しようとする課題】
【０００４】
しかしながら、特許文献１に記載の発明は、原稿全部、または、欠落した画像データに係るページの原稿および該ページの前後のページの原稿を再度読み取るため、ページの重送等による画像データの欠落が複数箇所で生じた場合、再度読み取る原稿の枚数が非常に多くなり、欠落したページの画像データを挿入するための処理時間が長くかかる虞がある。
【０００５】
本発明は、上述した問題点を解決するためになされたものであり、複数枚の原稿に基づき作成された複数の画像データのうち、複数箇所に画像データを挿入する場合において、画像データを挿入するための処理時間を短縮することができる画像処理装置および画像処理プログラムを提供することを目的とする。
【課題を解決するための手段】
【０００６】
前記目的を達成するために、請求項１に記載の画像処理装置は、複数枚の原稿を読み取る読取手段と、前記読取手段で読み取られた複数枚の原稿各々に対応する画像データからなる画像データ群を記憶する記憶手段と、通信可能な画像処理装置であって、前記画像データ群を前記記憶手段から取得する取得手段と、前記画像データ群における複数の画像データ挿入位置の指定および該画像データ挿入位置に挿入する画像データの数の指定を受け付ける受付手段と、前記画像データ群に挿入する挿入原稿の読み取りを前記読取手段に指示する読取指示手段と、前記取得手段により取得された画像データ群に対し、前記受付手段により受け付けた画像データ挿入位置および該画像データ挿入位置に挿入する画像データの数に基づいて、前記読取指示手段による指示により読み取られた挿入原稿の画像データを、前記読取手段で読み取られた順に挿入する画像挿入手段と、を備えることを特徴とする。
【０００７】
また、請求項２に記載の発明は、請求項１に記載の画像処理装置において、前記取得手段は、前記画像データ群として、１つのフォルダに格納された複数の画像データ、または、１つのファイルを構成する複数の画像データを前記記憶手段から取得することを特徴とする。
【０００８】
また、請求項３に記載の発明は、請求項１または２に記載の画像処理装置において、表示手段と、前記取得手段により取得された前記画像データ群に含まれる前記画像データ各々を特定する複数の特定画像を、該画像データに係る原稿の前記読取手段による読み取り順に従って表示するとともに、該特定画像の前または後の少なくともいずれか一方に、前記挿入原稿の画像データを挿入可能な位置を示す情報を前記表示手段に表示させる表示制御手段と、を備えることを特徴とする。
【０００９】
また、請求項４に記載の発明は、請求項１〜３のいずれかに記載の画像処理装置において、前記記憶手段は、前記原稿の読み取りに係る読取条件を記憶しており、前記読取指示手段は、前記記憶手段に記憶された読取条件で前記挿入原稿を読み取るよう指示することを特徴とする。
【００１０】
また、請求項５に記載の発明は、請求項４に記載の画像処理装置において、前記記憶手段は、前記読取条件として、解像度を記憶することを特徴とする。
【００１１】
また、請求項６に記載の発明は、請求項２〜５のいずれかに記載の画像処理装置において、前記画像データ群を構成する複数の画像データには、各々異なる名称が付与されており、前記取得手段が、前記画像データ群として、１つのフォルダに格納された複数の画像データを取得した場合、前記挿入手段により挿入原稿の画像データを前記画像データ群に挿入した後、前記画像データ群を構成する画像データの名称を変更する名称変更手段をさらに備えることを特徴とする。
【００１２】
また、請求項７に記載の発明は、請求項１〜６のいずれかに記載の画像処理装置において、前記読取手段とネットワークを介して通信可能であることを特徴とする。
【００１３】
さらに、請求項８に記載の画像処理プログラムは、複数枚の原稿を読み取る読取手段と、前記読取手段で読み取られた複数枚の原稿各々に対応する画像データからなる画像データ群を記憶する記憶手段と、通信可能なコンピュータが実行可能な画像処理プログラムであって、前記コンピュータに、前記画像データ群を前記記憶手段から取得する取得手段と、前記画像データ群における複数の画像データ挿入位置の指定および該画像データ挿入位置に挿入する画像データの数の指定を受け付ける受付手段と、前記画像データ群に挿入する挿入原稿の読み取りを前記読取手段に指示する読取指示手段と、前記取得手段により取得された画像データ群に対し、前記受付手段により受け付けた画像データ挿入位置および該画像データ挿入位置に挿入する画像データの数に基づいて、前記読み取り指示手段による指示により読み取られた挿入原稿の画像データを、前記読取手段で読み取られた順に挿入する画像挿入手段と、を実行させることを特徴とする。  
【発明の効果】
【００１４】
請求項１および請求項８に記載の発明によれば、挿入原稿のみを読み取り、原稿の画像データにおける複数の画像データ挿入位置および該画像データ挿入位置に挿入する画像データの数に基づいて、挿入原稿の画像データを読み取られた順に挿入することにより、画像データを挿入するための処理時間を短縮することができる。
【００１５】
また、請求項２に記載の発明は、画像データ群として、１つのフォルダに格納された複数の画像データまたは１つのファイルを構成する複数の画像データを取得することにより、１回の取得操作で、挿入原稿の画像データが挿入される複数の画像データを取得することができる。
【００１６】
また、請求項３に記載の発明は、取得手段により取得された画像データ群に含まれる画像データ各々を特定する複数の特定画像を、該画像データに係る原稿の読取手段による読み取り順に従って表示するとともに、該特定画像の前または後の少なくともいずれか一方に、挿入原稿の画像データを挿入可能な位置を示す情報を表示手段に表示させることにより、ユーザが画像データ挿入位置を容易に指定することができる。
【００１７】
また、請求項４に記載の発明は、原稿の読み取りに係る読取条件を記憶手段に記憶しており、その読取条件で挿入原稿を読み取るよう指示することにより、原稿の読み取り時と同条件で挿入原稿を読み取ることができる。したがって、原稿と挿入原稿の画像データにおける読取品質の差異を低減することができる。
【００１８】
また、請求項５に記載の発明は、読取条件として解像度を記憶することにより、原稿の読み取り時と同じ解像度で挿入原稿を読み取ることができる。したがって、原稿と挿入原稿の画像データにおける画質の差異をさらに低減することができる。
【００１９】
また、請求項６に記載の発明は、画像データ群を構成する複数の画像データには各々異なる名称が付与されており、画像データ群として、１つのフォルダに格納された複数の画像データを取得した場合、挿入原稿の画像データを画像データ群に挿入した後、画像データ群を構成する画像データの名称を変更することができる。したがって、ユーザによる画像データの管理がしやすくなる。
【００２０】
さらに、請求項７に記載の発明は、読取手段とネットワークを介して通信可能であることにより、読取手段を備えていない画像処理装置においても容易に画像データの挿入処理を行うことができる。
【図面の簡単な説明】
【００２１】
【図１】本実施形態の画像処理システムを示すブロック図である。
【図２】フォルダリストの表示例を示す図である。
【図３】画像データの表示例を示す図であり、（ａ）はフォルダ選択後、（ｂ）は挿入位置・挿入数設定後、（ｃ）は挿入結果表示時の状態を示す。
【図４】第１実施形態のパソコンにおける追加スキャン処理を示すフローチャートである。
【図５】本実施形態の挿入処理を示すフローチャートである。
【図６】第１実施形態の複合機における追加スキャン処理を示すフローチャートである。
【図７】第２実施形態の複合機における追加スキャン処理を示すフローチャートである。
【図８】第２実施形態のパソコンにおける追加スキャン処理を示すフローチャートである。
【発明を実施するための形態】
【００２２】
［第１実施形態］
以下、本発明に係る画像処理装置および画像処理プログラムを、複合機３０に接続されたコンピュータ（以下、パソコン）１０に具体化した一実施形態について、図面を参照しつつ詳細に説明する。
【００２３】
＜システムの構成＞
パソコン１０と複合機３０とにより構成された画像処理システム１について、図１を参照して説明する。パソコン１０と複合機３０とは、ＬＡＮ（Local Area Network）４でデータ送受信可能に接続されている。なお、パソコン１０と複合機３０との接続方法は、ＬＡＮ４に限定されるものではなく、ＵＳＢ接続やパラレル接続であってもよい。
【００２４】
以下、各装置の構成を説明する。まず、パソコン１０について説明する。パソコン１０は、制御部１２と記憶部１４（本発明の記憶手段に相当）と操作部１６と表示部１８（本発明の表示手段に相当）とネットワークインターフェース（以下、ネットワークＩ／Ｆ）２０とを備える。制御部１２は、自装置の制御を司り、演算処理を実行するＣＰＵ、各種プログラムを記憶するＲＯＭおよび作業領域としてのＲＡＭにより構成される。
【００２５】
記憶部１４は、例えば、ハードディスクで構成されている。記憶部１４には、ＯＳ（Operating System）１４０と、複合機３０に対する印刷コマンドまたは印刷データを作成するプリンタドライバ１４２と、複合機３０で読み取られたスキャンデータ１４４とが記憶されている。
【００２６】
スキャンデータ１４４は、フォルダリスト１４６と、画像データ１４８と、スキャン設定１５０（本発明の読取条件に相当）とにより構成される。画像データ１４８は、複合機３０のスキャナ部４２で読み取られた原稿の画像データである。読み取られた原稿が複数枚（複数ページ）の場合、ページ単位で作成された複数の画像データ１４８が１つのフォルダまたはファイル（本発明の画像データ群に相当）として記憶されている。詳細には、ＪＰＥＧやＰＤＦ（Portable Document Format）等のファイル形式により画像データ１４８の格納方法が異なり、１つの画像ファイル内に１つの画像データしか入らないＪＰＥＧ形式のファイルの場合は、ページ単位で読み取られた複数の画像データ１４８が各々画像ファイルとして、１つのフォルダに格納される。一方、１つのファイル内に複数の画像データを複数ページに分けて入れることができるＰＤＦ形式のファイルの場合は、ページ単位で読み取られた複数の画像データ１４８が１つのファイルに格納される。なお、本実施形態において、複合機３０で読み取られた原稿は複数枚の原稿から構成されているものとする。換言すれば、読み取られた原稿は複数ページから構成されているものとする。フォルダリスト１４６は、画像データ１４８が格納されているフォルダまたはファイルのリストである。フォルダリスト１４６は、各フォルダまたはファイルの名前とともにファイル形式を記憶しており、表示部１８に表示される際は、図２に示すように、フォルダ名またはファイル名が表示される。なお、ファイル名は対応する拡張子とともに表示される。スキャン設定１５０は、各フォルダまたはファイルに含まれる画像データを作成する際に、原稿がスキャナ部４２で読み取られた時に設定されていた読取条件であり、例えば、両面／片面、カラー／モノクロ、解像度、明度、画像データ記憶の際のファイル形式（ＪＰＥＧ、ＰＤＦ等）等である。
【００２７】
操作部１６は、例えば、キーボードおよびマウスから構成され、各種指令の入力インターフェースとしての機能を実現する。表示部１８は、例えば、複合機３０で読み取られたスキャンデータ１４４等の各種情報を表示する。ネットワークＩ／Ｆ２０は、パソコン１０をＬＡＮ４に接続し、複合機３０のような外部装置との間でＬＡＮ４を介した種々のデータの送受信を実行する。
【００２８】
次に、複合機３０について説明する。複合機３０は、制御部３２と記憶部３４（本発明の記憶手段に相当）と操作部３６と表示部３８とネットワークＩ／Ｆ４０とスキャナ部４２（本発明の読取手段に相当）と印刷部４４とを備える。制御部３２は、自装置の制御を司り、演算処理を実行するＣＰＵ、各種プログラムを記憶するＲＯＭおよび作業領域としてのＲＡＭにより構成される。
【００２９】
記憶部３４は、例えば、ハードディスクまたは不揮発性のメモリ（ＥＥＰＲＯＭ）により構成され、スキャナ部４２で読み取られたスキャンデータ３４０等の各種データが記憶される。スキャンデータ３４０は、フォルダリスト３４２と、画像データ３４４と、スキャン設定３４６（本発明の読取条件に相当）とから構成されている。なお、スキャンデータ３４０は、パソコン１０の記憶部１４に記憶されたスキャンデータ１４４と同様に構成されているため、詳細な説明は省略する。
【００３０】
操作部３６は、例えば、方向キー、文字入力が可能なテンキーボードおよび確定ボタン等により構成され、各種指令の入力インターフェースとしての機能を実現する。表示部３８は、例えば、スキャナ部４２で読み取られたスキャンデータ３４０等の各種情報を表示する。ネットワークＩ／Ｆ４０は、複合機３０をＬＡＮ４に接続し、例えば、パソコン１０との間で種々のデータの送受信を実行する。
【００３１】
スキャナ部４２は、原稿台（図示を省略）に載置された記録媒体である原稿をスキャンする。印刷部４４は、例えば、プリンタドライバ１４２で作成された印刷データ等の各種データを印刷する。
【００３２】
＜追加スキャン処理＞
次に、本実施形態の追加スキャン処理について、図２〜図６を参照して詳細に説明する。本実施形態において、追加スキャン処理の対象とする原稿は、１０枚の原稿、換言すれば、１０ページで構成されており、以下、原稿の各ページを先頭のページから順にＡ〜Ｊとする。また、各ページに対応する画像データ１４８のファイル形式はＪＰＥＧとし、これらの画像データ１４８は、「Ｔｅｓｔ」という名前のフォルダに格納されているとする。本実施形態において、ページＤ、Ｇ、Ｈ、Ｊが原稿の重送等により読み取られず、ページＡ、Ｂ、Ｃ、Ｅ、Ｆ、Ｉのみが読み取られ、この読み取られた各ページの画像データ１４８が「Ｔｅｓｔ」フォルダに格納されているとする。そして、本実施形態においては、追加スキャンによってページＤ、Ｇ、Ｈ、Ｊを再度読み取り、これら再度読み取ったページの画像データをＡ〜Ｊがページ順に並ぶように挿入する場合を考える。また、フォルダに格納された画像データ１４８は、先頭のページから順に並ぶようにファイル名が設定される。例えば、読み取られたページ順に数字が付加された数字列等である（図３参照）。なお、原稿の画像データ１４８の構成は、これに限定されるものではなく、本実施形態において、複数枚からなる原稿であり、各ページの画像データが、１つのフォルダまたはファイルにページ順に格納されているものであれば、種々の形態を採用することができる。
【００３３】
まず、パソコン１０における処理について、図２および図３を参照し、図４のパソコン１０における追加スキャン処理を示すフローチャートに従って、詳細に説明する。この追加スキャン処理は、パソコン１０の制御部１２のＲＯＭに記憶されたプログラムに基づいて実行されるものであり、パソコン１０の操作部１６から追加スキャン処理を指示する操作がなされることにより開始される。
【００３４】
制御部１２は、Ｓ４０２において、記憶部１４からフォルダリスト１４６を取得し、表示部１８にフォルダリスト１４６を表示する（Ｓ４０４；図２参照）。なお、Ｓ４０２の処理は、複合機３０の記憶部３４に記憶されているフォルダリスト３４２を取得するものとしてもよい。
【００３５】
図２は、フォルダリスト１４６の表示例を示す図であり、記憶部１４に記憶されているフォルダまたはファイルの名前が表示される。ユーザは、操作部１６で追加スキャン処理を実行したいフォルダまたはファイルを選択した後、表示部１８に表示されるＯＫボタン２００を選択することにより所望のフォルダまたはファイルを選択することが可能となる。また、キャンセルボタン２０２が選択された場合、フォルダリスト１４６の表示が終了する。なお、複合機３０の記憶部３４に記憶されているフォルダリスト３４２についても同様に表示される。
【００３６】
次に、制御部１２は、図４のＳ４０６において、ユーザにより１つのフォルダまたはファイルが選択されたことを検出し、選択されたフォルダまたはファイルの画像データ１４８およびスキャン設定１５０を記憶部１４から取得する（Ｓ４０８）。なお、Ｓ４０２で複合機３０の記憶部３４に記憶されているフォルダリスト３４２を取得した場合は、Ｓ４０８において、記憶部３４に記憶されている画像データ３４４およびスキャン設定３４６が取得される。本実施形態において、Ｓ４０６で「Ｔｅｓｔ」フォルダが選択され、記憶部１４に記憶されている、「Ｔｅｓｔ」フォルダに格納されている画像データ１４８およびその画像データ１４８を読み取った時のスキャン設定１５０が取得される（Ｓ４０８）。なお、本実施形態では、フォルダを選択して追加スキャン処理を行う場合を想定するため、以後の処理は、フォルダに限定して説明する。また、ファイルを選択して追加スキャン処理を行う場合については後述する。
【００３７】
そして、制御部１２は、図４のＳ４１０において、選択したフォルダに格納された画像データ１４８の縮小画像（本発明の特定画像に相当）を表示する。図３（ａ）は、フォルダ選択後における画像データ１４８の表示例を示す図である。Ｓ４１０では、図３（ａ）に示すように、選択したフォルダに格納された複数の画像データ１４８の縮小画像３０１、３０２、３０３、３０５、３０６、３０９が左上からページ順に並べて表示され、また、縮小画像３０１、３０２、３０３、３０５、３０６、３０９の右側に破線で示された矩形３２１〜３２６（本発明の挿入原稿の画像データを挿入可能な位置を示す情報に相当）が表示される。図３（ａ）において、矩形３２１〜３２６が表示されている位置は、再度読み取られる原稿の画像データを挿入可能な挿入位置を示している。本実施形態では、ページＡ、Ｂ、Ｃ、Ｅ、Ｆ、Ｉの画像データ１４８のみが「Ｔｅｓｔ」フォルダに格納されているので、Ｓ４１０において、図３（ａ）に示すように、ページＡ、Ｂ、Ｃ、Ｅ、Ｆ、Ｉの画像データ１４８の縮小画像３０１、３０２、３０３、３０５、３０６、３０９、および、各縮小画像の右側に挿入可能位置を示す矩形３２１〜３２６が表示される。なお、挿入可能位置を示す矩形３２１〜３２６は、縮小画像の左右両側に表示されていてもよい。また、縮小画像３０１、３０２、３０３、３０５、３０６、３０９の下には各縮小画像に対応する画像データ１４８のファイル名が表示されており、図３（ａ）において、ファイル名として、先頭ページから順に付与された数字列が拡張子とともに表示される（例えば、「０１．ｊｐｇ」等）。
【００３８】
次に、制御部１２は、図４のＳ４１２において、ユーザにより操作部１６から入力された画像データの挿入位置（本発明の画像データ挿入位置に相当）および各挿入位置に挿入する画像データの数を取得し、ＲＡＭに記憶する。
【００３９】
ここで、ユーザによる画像データの挿入位置および各挿入位置に挿入する画像データの数の設定について、説明する。図３（ａ）に示す表示状態において、ユーザが矩形３２１〜３２６のうちいずれか１つを選択し、選択した矩形の位置に挿入したい画像データの数を操作部１６から入力した後、ＯＫボタン３５０を選択することにより、選択した挿入位置に挿入する挿入数の設定が完了する。また、複数の挿入位置に画像データを挿入する場合は、この手順が繰り返される。そして、全ての設定が完了した場合は、ユーザにより、表示部１８に表示される確認ボタン３５２が選択される。
【００４０】
本実施形態では、ページＤ、Ｇ、Ｈ、Ｊの画像データを、Ａ〜Ｊがページ順に並ぶように挿入することを目的とするため、ユーザにより、図３（ａ）の表示状態において、矩形３２３に１枚、矩形３２５に２枚、矩形３２６に１枚という設定内容が入力され、制御部１２はこの内容をＲＡＭに記憶する（Ｓ４１２）。
【００４１】
そして、制御部１２は、図４のＳ４１４において、ユーザにより、画像データの挿入位置および挿入数が全て設定されたか否かを判断する。すなわち、図３（ａ）において、表示部１８に表示される確認ボタン３５２が選択されたか否かを判断する。判断の結果、確認ボタン３５２が選択されていない場合（Ｓ４１４：ＮＯ）、Ｓ４１２に戻り、確認ボタン３５２が選択されるまで処理を繰り返す。一方、確認ボタン３５２が選択された場合（Ｓ４１４：ＹＥＳ）、Ｓ４１２で取得した内容を表示する（Ｓ４１６）。
【００４２】
図３（ｂ）は、Ｓ４１６において表示される、設定された挿入位置および挿入数を示す画像データ１４８の表示例である。破線で示す矩形３３２〜３３５は、設定された挿入位置であり、矩形３３２〜３３５に、それぞれ、再度読み取る画像データを１枚ずつ挿入することを示す。また、図３（ｂ）の右下に表示されるＯＫボタン３６０は、設定された内容に基づいて処理を進める場合に選択され、キャンセルボタン３６２は設定された挿入位置または挿入数を変更する場合に選択され、終了ボタン３６４は追加スキャン処理を終了する場合に選択されるものである。本実施形態において、ページＤの画像データを矩形３３２に、ページＧの画像データを矩形３３３に、ページＨの画像データを矩形３３４に、ページＪの画像データを矩形３３５に挿入することを目的とするため、図３（ｂ）に示すように、Ｓ４１２で取得した設定内容が表示される。なお、図３（ａ）と同様に、図３（ｂ）において、縮小画像３０１、３０２、３０３、３０５、３０６、３０９の下に表示されている、先頭ページから順に付与された数字列および拡張子（例えば、「０１．ｊｐｇ」など）は、各縮小画像に対応する画像データ１４８のファイル名を示す。
【００４３】
次に、制御部１２は、図４のＳ４１８において、ユーザにより選択された指示内容を判断する。すなわち、図３（ｂ）において、ユーザによりＯＫボタン３６０、キャンセルボタン３６２、または終了ボタン３６４のいずれが選択されたかを判断する。判断により、キャンセルボタン３６２が選択された場合（Ｓ４１８：キャンセル）、Ｓ４１２の処理に戻る。また、終了ボタン３６４が選択された場合（Ｓ４１８：終了）、本処理を終了する。ＯＫボタン３６０が選択された場合（Ｓ４１８：ＯＫ）、制御部１２は、図４のＳ４２０において、Ｓ４０８で取得した、選択されたフォルダに対応するスキャン設定１５０を複合機３０へ送信する。この時、スキャン開始を指示するスキャン指示をスキャン設定１５０とともに複合機３０へ送信してもよい。
【００４４】
その後、複合機３０から追加スキャンされた画像データを受信し（Ｓ４２２）、後述する挿入処理（Ｓ４２４；図５参照）を行う。本実施形態において、追加スキャンされた画像データとして、複合機３０で再度読み取られたページＤ、Ｇ、Ｈ、Ｊの画像データが、追加スキャンデータとして、この読み取り順で受信される。
【００４５】
そして、制御部１２は、挿入処理によって画像データが挿入されたフォルダに格納された画像データ１４８のファイル名を変更する（Ｓ４２６）。具体的には、挿入された画像データを含めてページ順に並ぶように、フォルダに格納されている画像データ１４８のファイル名を、例えば、先頭のページから順に数字を付加した数字列等に変更する（図３（ｃ）参照）。なお、ファイル名は、これに限定されるものではなく、画像データ１４８をページ順に並べて格納することが可能なファイル名であれば種々の形態を採用することができる。
【００４６】
次に、制御部１２は、選択されているフォルダに対してファイル名の変更を反映することにより、フォルダの画像データ１４８を更新して記憶部１４に記憶し（Ｓ４２８）、挿入結果を表示部１８に表示して処理を終了する（Ｓ４３０）。図３（ｃ）は、挿入結果表示時の画像データ１４８の表示例であり、斜線で示された部分は、Ｓ４２４により挿入された画像データ１４８の縮小画像３０４、３０７、３０８、３１０である。また、縮小画像３０１〜３１０の下に表示されている、先頭ページから順に付与された数字列および拡張子（例えば、「０１．ｊｐｇ」など）は、各縮小画像に対応する画像データ１４８のファイル名を示す。図３（ｃ）では、図４のＳ４２６により、挿入された画像データを含めて先頭ページ順に並ぶように変更された、画像データ１４８のファイル名が表示されている。
【００４７】
ここで、挿入処理（Ｓ４２４）（本発明の挿入手段に相当）について、図５の挿入処理を示すフローチャートに従って、詳細に説明する。なお、挿入処理において、図３（ｂ）に示す挿入位置３３３、３３４のように、挿入位置が連続して並んでいる場合、挿入位置３３３および挿入位置３３４をまとめて１つの挿入位置として扱うこととする。
【００４８】
まず、図５のＳ５００において、制御部１２は、図４のＳ４１２で取得した挿入位置のうち、先頭ページに最も近い挿入位置を選択する。本実施形態において、図３（ｂ）に矩形３３２〜３３５で示す挿入位置のうち、先頭ページであるページＡの画像データの縮小画像３０２に最も近い挿入位置３３２が選択される。
【００４９】
次に、制御部１２は、Ｓ５００で選択した挿入位置に挿入する画像データ数をＲＡＭから取得し（Ｓ５０２）、図４のＳ４２２で複合機３０から受信した画像データ（追加スキャンデータ）のうち、Ｓ５０２で取得した数の画像データを、読み取られた順に選択する（Ｓ５０４）。そして、選択した画像データを、選択した挿入位置に挿入する（Ｓ５０６）。本実施形態において、Ｓ５００で選択された挿入位置３３２に挿入する画像データは、図４のＳ４１２において１つとして取得されているので、複合機３０から受信したページＤ、Ｇ、Ｈ、Ｊの画像データのうち、最初に読み取られたページＤの画像データが挿入位置３３２に挿入される。
【００５０】
そして、Ｓ５０８において、追加スキャンデータを全て挿入したか否かを判断し、全て挿入した場合（Ｓ５０８：ＹＥＳ）は処理を終了する。一方、判断の結果、全て挿入していない場合（Ｓ５０８：ＮＯ）、Ｓ５００に戻り、Ｓ５００〜Ｓ５０８の処理を繰り返す。
【００５１】
本実施形態においては、複合機３０から受信したページＤ、Ｇ、Ｈ、Ｊの画像データはまだ挿入されていないので、Ｓ５００に戻り、Ｓ５００〜Ｓ５０８の処理を繰り返す。すなわち、挿入済みの位置を除いた未挿入の挿入位置のうち、先頭ページであるページＡの画像データの縮小画像３０２に最も近い挿入位置３３３、３３４を選択される。そして、挿入位置３３３、３３４に挿入する画像データは、図４のＳ４１２において計２つとして取得されているので、未挿入の画像データのうち、読み取られた順にページＧ、Ｈの画像データがそれぞれ挿入位置３３３、３３４に挿入される。そして、未挿入の画像データとして、ページＪの画像データがまだ存在するので、再度Ｓ５００に戻り、未挿入の挿入位置のうち、先頭ページＡの画像データの縮小画像３０２に最も近い挿入位置３３５を選択し、挿入位置３３５に挿入する画像データは、図４のＳ４１２において１つとして取得されているので、未挿入であるページＪの画像データが挿入位置３３５に挿入される。追加スキャンデータは全て挿入されたので、本処理を終了する。このようにして、複合機３０で再度読み取られた画像データを、設定された挿入位置に、設定された挿入数だけ挿入して「Ｔｅｓｔ」フォルダに格納することが可能となる。
【００５２】
次に、複合機３０における処理について、図６の複合機３０における追加スキャン処理を示すフローチャートに従って、詳細に説明する。この処理は、複合機３０の制御部３２のＲＯＭに記憶されたプログラムに基づいて実行される。
【００５３】
まず、図６のＳ６００において、制御部３２は、複合機３０の原稿台（図示を省略）に再読み取り（追加スキャン）する原稿（本発明の挿入原稿に相当）が載置されたことを検出したか否かを判断する。ここで、本実施形態において、追加スキャンする原稿は、図４のＳ４１２で取得した挿入位置に挿入される原稿のみである。すなわち、本実施形態では、追加スキャンする原稿は上述の通り、ページＤ、Ｇ、Ｈ、Ｊである。判断の結果、原稿が検出されなかった場合（Ｓ６００：ＮＯ）、制御部３２は、検出するまでＳ６００の処理を繰り返す。一方、原稿が検出された場合（Ｓ６００：ＹＥＳ）、制御部３２は、ユーザによるスキャン指示があったか否かを判断する（Ｓ６０２）。なお、ユーザによるスキャン指示は、複合機３０の操作部３６から指示されてもよいし、パソコン１０の操作部１６から入力されたスキャン指示をパソコン１０から受信してもよい。
【００５４】
Ｓ６０２の判断の結果、スキャン指示が検出されない場合（Ｓ６０２：ＮＯ）、制御部３２は、検出するまでＳ６０２の処理を繰り返す。一方、スキャン指示が検出された場合（Ｓ６０２：ＹＥＳ）、制御部３２は、Ｓ６０４において、パソコン１０からスキャン設定１５０を受信したか否かを判断する。判断の結果、スキャン設定１５０が受信されていない場合（Ｓ６０４：ＮＯ）、制御部３２は、スキャン設定１５０を受信するまでＳ６０４の処理を繰り返す。一方、スキャン設定１５０を受信済みである場合（Ｓ６０４：ＹＥＳ）、制御部３２は、原稿台に載置された原稿のスキャンを実行する（Ｓ６０６）。この時、フォルダに挿入すべく原稿台に載置された原稿のみがページ順に読み取られる。
【００５５】
次に、制御部３２は、Ｓ６０８において、図４のＳ４１２で取得した画像データ数（設定枚数）が読み取られた画像データ数（スキャン枚数）と一致するか否かを判断する。すなわち、図４のＳ４１２で取得した挿入位置にそれぞれ挿入する画像データ数の合計が、Ｓ６０６で読み取られた原稿の画像データ数と一致するか否かを判断する。本実施形態では、スキャン枚数が設定枚数である４枚であるか否かが判断される。なお、設定枚数は、図４のＳ４１２において取得した挿入数の総数であり、Ｓ４２０でパソコン１０から送信されたものである。設定枚数は、Ｓ６０２でスキャン指示とともに受信されるとよい。
【００５６】
判断の結果、設定枚数とスキャン枚数が一致する場合（Ｓ６０８：ＹＥＳ）、制御部３２は、読み取った画像データ（追加スキャンデータ）をパソコン１０へ送信し、本処理を終了する（Ｓ６１０）。一方、設定枚数とスキャン枚数が一致しない場合（Ｓ６０８：ＮＯ）、制御部３２は、設定枚数とスキャン枚数が一致しない旨を示すエラー情報を、表示部３８に通知して、本処理を終了する（Ｓ６１２）。なお、エラー情報はパソコン１０の表示部１８に表示してもよい。
【００５７】
以上説明したように、ユーザにより設定された挿入位置に挿入される原稿のみを再度読み取り（図６のＳ６０６）、設定された挿入位置および該挿入位置に挿入する画像データ数に基づいて、再度読み取られた画像データを読み取り順に挿入することにより（図５参照）、画像データを挿入するための処理時間を短縮することができる。
【００５８】
また、複数の画像データ１４８が１つのフォルダとして記憶されており、フォルダ単位で複数の画像データ１４８を取得することにより（図４のＳ４０８）、１回の取得操作で、ユーザにより指定されたフォルダに格納されている複数の画像データ１４８を取得することができる。すなわち、１回の取得操作により、追加スキャン処理の対象とされる、挿入する原稿の画像データが挿入されるフォルダに格納された画像データ１４８を全て取得することができる。
【００５９】
また、フォルダに含まれる複数の画像データ１４８の縮小画像を、スキャナ部４２で読み取られた順に並べて表示部１８に表示するとともに、縮小画像の前または後の少なくともいずれか一方に、画像データを挿入可能な位置を示す矩形を表示部１８表示させることにより（図３（ａ）参照）、ユーザが画像データの挿入位置を容易に指定することができる。
【００６０】
また、記憶部１４にスキャン設定１５０を記憶しており、スキャン設定１５０に基づいて再度読み取ることを指示することにより（図４のＳ４２０）、最初に原稿が読み取られたときと同条件で追加スキャンを行うことができる。したがって、追加スキャンを行う前に記憶されていた画像データ１４８と再度読み取られた画像データの読み取り品質における差異を低減することができる。特に、スキャン設定として、原稿の読み取り時における解像度を記憶しておくことにより、追加スキャンを行う前に記憶されていた画像データ１４８と再度読み取られた画像データの画質における差異をさらに低減することができる。
【００６１】
また、追加スキャン処理の対象として、１つのフォルダに格納された複数の画像データ１４８が選択された場合、挿入処理後にフォルダに格納された画像データ１４８のファイル名を変更することにより（図４のＳ４２６）、ユーザによる画像データ１４８の管理がしやすくなる。
【００６２】
さらに、パソコン１０と複合機３０とがＬＡＮ４でデータ送受信可能に接続されていることにより、挿入処理を行うパソコン１０がスキャナ部を有していない場合においても、容易に挿入処理を行うことができる。
【００６３】
［第２実施形態］
第１実施形態では、追加スキャン処理において、パソコン１０で挿入処理を行う場合について説明したが、第２実施形態では、複合機３０で挿入処理を行う場合について説明する。すなわち、本発明に係る画像処理装置および画像処理プログラムを、複合機３０に具体化した一実施形態について、図面を参照しつつ詳細に説明する。なお、システムの構成については、第１実施形態と同様であるため、説明を省略する。ただし、複合機３０の記憶部３４に記憶されているスキャンデータ３４０を追加スキャン処理の対象とする場合、複合機３０は、パソコン１０とＬＡＮ４を介して接続されていなくてもよい。また、本実施形態において、表示部３８は本発明の表示手段に相当し、その他は第１実施形態と同様である。
【００６４】
＜追加スキャン処理＞
本実施形態の追加スキャン処理について、図７および図８を参照して詳細に説明する。本実施形態において、追加スキャン処理の対象とする原稿および原稿の画像データは、第１実施形態と同様に構成されているため、詳細な説明は省略する。
【００６５】
まず、複合機３０における処理について、図７の複合機３０における追加スキャン処理を示すフローチャートに従って、詳細に説明する。この追加スキャン処理は、複合機３０の制御部３２のＲＯＭに記憶されたプログラムに基づいて実行されるものであり、複合機３０の操作部３６から追加スキャン処理を指示する操作がなされることにより開始される。
【００６６】
制御部３２は、Ｓ７０２において、記憶部３４からフォルダリスト３４２を取得し、表示部３８にフォルダリスト３４２を表示する（Ｓ７０４；図２参照）。なお、Ｓ７０２の処理は、パソコン１０の記憶部１４に記憶されているフォルダリスト１４６を取得してもよい。また、フォルダリスト３４２の構成は第１実施形態と同様であるため、説明を省略する。
【００６７】
次に、制御部３２は、Ｓ７０６において、ユーザにより１つのフォルダまたはファイルが選択されたことを検出し、選択されたフォルダまたはファイルの画像データ３４４およびスキャン設定３４６を記憶部３４から取得する（Ｓ７０８）。なお、Ｓ７０２でパソコン１０の記憶部１４に記憶されているフォルダリスト１４６を取得した場合は、Ｓ７０８において、記憶部１４に記憶されている画像データ１４８およびスキャン設定１５０が取得される。なお、本実施形態では、第１実施形態と同様に、「Ｔｅｓｔ」フォルダを選択して追加スキャン処理を行う場合を想定するため、以後の処理は、フォルダに限定して説明する。また、ファイルを選択して追加スキャン処理を行う場合については後述する。
【００６８】
そして、制御部３２は、Ｓ７１０において、選択したフォルダに格納された画像データ３４４の縮小画像を表示する（図３（ａ）参照）。次に、制御部３２は、ユーザにより操作部３６から入力された画像データ３４４の挿入位置および各挿入位置に挿入する画像データ数を取得し（Ｓ７１２）、ユーザにより、確認ボタン３５２が選択されたか否かを判断する（Ｓ７１４）。判断の結果、確認ボタン３５２が選択されていない場合（Ｓ７１４：ＮＯ）、Ｓ７１２に戻り、確認ボタン３５２が選択されるまで処理を繰り返す。一方、確認ボタン３５２が選択された場合（Ｓ７１４：ＹＥＳ）、Ｓ７１２で取得した設定内容を表示する（Ｓ７１６；図３（ｂ）参照）。なお、Ｓ７１２〜Ｓ７１６の処理は、第１実施形態における図４のＳ４１０〜Ｓ４１６の処理と同様であるため、詳細な説明は省略する。
【００６９】
次に、制御部３２は、図７のＳ７１８において、ユーザにより選択された指示内容を判断する。すなわち、図３（ｂ）において、ユーザによりＯＫボタン３６０、キャンセルボタン３６２、または終了ボタン３６４のいずれが選択されたかを判断する。この判断により、キャンセルボタン３６２が選択された場合（Ｓ７１８：キャンセル）、Ｓ７１２の処理に戻る。また、終了ボタン３６４が選択された場合（Ｓ７１８：終了）、本処理を終了する。ＯＫボタン３６０が選択された場合（Ｓ７１８：ＯＫ）、制御部３２は、図７のＳ７２０において、Ｓ７０８で取得した、選択されたフォルダに対応するスキャン設定３４６を読み出す。
【００７０】
そして、Ｓ７２２において、制御部３２は、原稿台（図示を省略）に追加スキャンする原稿が載置されたことを検出したか否かを判断し、原稿が検出されなかった場合（Ｓ７２２：ＮＯ）、検出するまでＳ７２２の処理を繰り返す。一方、原稿が検出された場合（Ｓ７２２：ＹＥＳ）、制御部３２は、ユーザによるスキャン指示があったか否かを判断し（Ｓ７２４）、スキャン指示が検出されない場合（Ｓ７２４：ＮＯ）、検出するまでＳ７２４の処理を繰り返す。
【００７１】
一方、スキャン指示が検出された場合（Ｓ７２４：ＹＥＳ）、制御部３２は、原稿台に載置された原稿のスキャンを実行する（Ｓ７２６）。この時、フォルダに挿入すべく原稿台に載置された原稿のみがページ順に読み取られる。
【００７２】
そして、制御部３２は、Ｓ７２８において、図４のＳ４１２で取得した画像データ数（設定枚数）が読み取られた画像データ数（スキャン枚数）と一致するか否かを判断し、設定枚数とスキャン枚数が一致しない場合（Ｓ７２８：ＮＯ）、制御部３２は、設定枚数とスキャン枚数が一致しない旨を示すエラー情報を、表示部３８に通知して、本処理を終了する（Ｓ７３８）。一方、設定枚数とスキャン枚数が一致する場合（Ｓ７２８：ＹＥＳ）、挿入処理（Ｓ７３０；図５参照）を行う。挿入処理については、第１実施形態と同様であるため、詳細な説明を省略する。なお、設定枚数は、Ｓ７１２において取得した挿入数の総数である。
【００７３】
そして、制御部３２は、挿入処理後のフォルダに格納された画像データ３４４のファイル名を変更し（Ｓ７３２）、該フォルダに対してファイル名の変更を反映することにより、フォルダの画像データ３４４を更新して記憶部３４に記憶する（Ｓ７３４）。そして、挿入結果を表示部３８に表示して処理を終了する（Ｓ７３６；図３（ｃ））。なお、Ｓ７３２〜Ｓ７３６の処理は、第１実施形態における図４のＳ４２６〜Ｓ４３０の処理と同様であるため、詳細な説明は省略する。
【００７４】
このようにして、再度読み取られた画像データ３４４を、設定された挿入位置に、設定された挿入数だけ挿入して、所定のフォルダ（「Ｔｅｓｔ」フォルダ）に格納することが可能となる。
【００７５】
次に、パソコン１０における処理について、図８のパソコン１０における追加スキャン処理を示すフローチャートに従って、詳細に説明する。この処理は、パソコン１０の制御部１２のＲＯＭに記憶されたプログラムに基づいて実行されるものであり、本実施形態において、追加スキャン処理の対象を、パソコン１０の記憶部１４に記憶されているスキャンデータ１４４とする場合にのみ実行される。
【００７６】
まず、Ｓ８００において、制御部１２は、複合機３０からフォルダリスト１４６の送信を要求されたか否かを判断する。判断の結果、フォルダリスト１４６の送信が要求されていない場合（Ｓ８００：ＮＯ）、制御部１２は、要求されるまでＳ８００の処理を繰り返す。一方、フォルダリスト１４６の送信が要求された場合（Ｓ８００：ＹＥＳ）、制御部１２は、複合機３０へフォルダリスト１４６を送信し（Ｓ８０２）、複合機３０から所定のフォルダのデータの送信を要求されたか否かを判断する（Ｓ８０４）。ここで、所定のフォルダは、図７のＳ７０６で選択された１つのフォルダである。また、フォルダのデータは、フォルダに格納されている画像データ１４８、および、該フォルダに対応するスキャン設定１５０である。なお、本実施形態では、複合機３０によりフォルダが選択された場合に限定して説明しているが、ファイルが選択された場合についても同様の処理を行えばよい。
【００７７】
図８のＳ８０４の判断の結果、データの送信要求がない場合（Ｓ８０４：ＮＯ）、制御部１２は、要求されるまでＳ８０４の処理を繰り返す。一方、データの送信要求があった場合（Ｓ８０４：ＹＥＳ）、制御部１２は、複合機３０へ要求されたフォルダのデータを送信し、本処理を終了する（Ｓ８０６）。
【００７８】
以上説明したように、本実施形態においても、第１実施形態と同様の効果を奏することができる。例えば、ユーザにより設定された挿入位置に挿入される原稿のみを再度読み取り（図７のＳ７２６）、設定された挿入位置および該挿入位置に挿入する画像データ数に基づいて、再度読み取られた画像データを読み取り順に挿入することにより（図５参照）、画像データを挿入するための処理時間を短縮することができる。
【００７９】
［他の実施形態］
以上、本発明における様々な実施形態について説明したが、本発明は上記実施形態に限定されるものではなく、本発明の要旨を逸脱しない範囲内で種々の態様を採ることができる。
【００８０】
第１および第２実施形態において、図４のＳ４０６および図７のＳ７０６で、各画像データ１４８、３４４がＪＰＥＧ形式のファイルとして格納されたフォルダが選択されているが、複数の画像データ１４８、３４４が格納されたＰＤＦ形式のファイルを選択して追加スキャン処理を行ってもよい。
【００８１】
ＰＤＦ形式のファイルにおける追加スキャン処理について説明する。ＰＤＦ形式のファイルの場合、追加スキャン処理の大部分はフォルダの場合と同様であるため、フォルダの場合と異なる図４のＳ４２６と図７のＳ７３２以外の処理については、説明を省略する。
【００８２】
ＰＤＦ形式のファイルは、ページの相互関係を表すページ構造を記述したページ構造部分と、画像、図形および文字等の、各ページの内容を記述した文書構造部分とに大別され、ページ構造部分を書き換えることにより、ページの順序や数などを変更することが可能である。
【００８３】
したがって、第１および第２実施形態における図４のＳ４２６および図７のＳ７３２は、挿入処理後のフォルダに格納されている画像データ１４８、３４４のファイル名を変更するが、ＰＤＦ形式のファイルに挿入処理を行う場合は、図４のＳ４２６および図７のＳ７３２の処理に代わり、制御部１２、３２が、挿入処理後のページ数およびページ順に適応するように、挿入処理後のファイルのページ構造部分を部分的に書き換える。よって、追加スキャンされた画像データ１４８、３４４を、設定された挿入位置に設定された挿入数だけ挿入してファイルに格納することが可能となる。
【００８４】
また、ファイルを選択して追加スキャン処理を行う場合においても、フォルダの場合と同様に、ファイル単位で複数の画像データを取得するという１回の取得操作により、追加スキャン処理の対象とされる、挿入する原稿の画像データが挿入されるファイルに格納された画像データを全て取得することができる。
【００８５】
さらに、ファイルに含まれる複数の画像データの縮小画像を、スキャナ部４２で読み取られた順に並べて表示部に表示するとともに、縮小画像の前または後の少なくともいずれか一方に、画像データを挿入可能な位置を示す矩形を表示部１８表示させることにより（図３（ａ）参照）、ユーザが画像データの挿入位置を容易に指定することができる。
【００８６】
また、第１および第２実施形態では、図３に示すように、各々の表示部１８、３８に画像データ１４６、３４４の縮小画像を表示しているが、縮小画像に限定されるものではなく、例えば、ページ番号や画像データ１４８、３４４の一部等、画像データ１４８、３４４を特定できる画像であればよい。
【００８７】
また、第１および第２実施形態では、図３に示すように、挿入可能位置および挿入位置を、画像データ１４８、３４４の前後に表示される破線の矩形で表しているが、例えば、実線の矩形、チェックボックス、その他多角形等、挿入可能位置および挿入位置を特定できるものであればよい。
【００８８】
なお、図４〜図８に示すフローチャートにおいて、Ｓ４０２およびＳ７０２は本発明の取得手段、Ｓ４１２およびＳ７１２は本発明の受付手段、Ｓ６０２およびＳ７２４は本発明の読取指示手段、Ｓ４１０およびＳ７１０は本発明の表示制御手段、Ｓ４２６およびＳ７３２は本発明の名称変更手段に相当する。
【符号の説明】
【００８９】
１              画像処理システム
４              ＬＡＮ
１０            パソコン
１２、３２      制御部
１４、３４      記憶部
１６、３６      操作部
１８、３８      表示部
３０            複合機
４２            スキャナ部
１４４、３４０  スキャンデータ
１４６、３４２  フォルダリスト
１４８、３４４  画像データ
１５０、３４６  スキャン設定
３０１〜３１０  縮小画像
３２１〜３２６  挿入可能な位置を示す矩形
３３２〜３３５  挿入位置を示す矩形
【図１】
2011029746.tif 000003
【図２】
2011029746.tif 000004
【図４】
2011029746.tif 000005
【図５】
2011029746.tif 000006
【図６】
2011029746.tif 000007
【図７】
2011029746.tif 000008
【図８】
2011029746.tif 000009
【図３】
2011029746.tif 000010